(57)【要約】【課題】登録ユーザの個人認証情報として確度が高く簡便な認証方式であると共に、第三者による悪用を防止し得るプリントネットワークシステムの認証システム、リモート保管サーバ及びリモート出力装置を提供する。【解決手段】かかる課題を解決するために、複数のリモート出力装置と、ファイル情報の保管及び転送し得るリモート保管サーバとを有するプリントネットワークシステムの認証システムにおいて、ユーザ本人の証明書類から画像情報を得る画像情報読取装置と、各リモート出力装置が、登録要求時に、画像情報読取装置からの画像情報を個人認証用画像情報として保管させると共に、認証要求時に、画像情報を出力する画像認証要求手段を有し、リモート保管サーバが、認証要求時に、リモート出力装置からの画像情報と個人認証用画像情報との照合によりユーザ認証する画像認証手段を有することを特徴とする。【選択図】      図１
2005025243.tif 000002
【特許請求の範囲】
【請求項１】
不特定多数のユーザが利用可能な複数のリモート出力装置と、
上記リモート出力装置から保管指示されたファイル情報を保管すると共に、上記リモート出力装置からの呼出し指示により保管しているファイル情報を指示された上記リモート出力装置に与えるリモート保管サーバと
を有するプリントネットワークシステムの認証システムにおいて、
ユーザ本人の証明可能な書類から画像情報を得る画像情報読取装置と、
上記各リモート出力装置が、登録要求時に、上記画像情報読取装置からの画像情報を出力し、その画像情報を個人認証用画像情報として保管させると共に、認証要求時に、外部から取得した画像情報を出力する画像認証要求手段を有し、
上記リモート保管サーバが、登録要求時に、上記リモート出力装置からの画像情報を個人認証用画像情報としてユーザ毎に保管すると共に、認証要求時に、上記リモート出力装置から画像情報を受信し、その画像情報と上記個人認証用画像情報との照合によりユーザ認証する画像認証手段を有する
ことを特徴とするプリントネットワークシステムの認証システム。
【請求項２】
ユーザ本人の指紋、アイリス、手相、手のひらの血管分布などの個体特徴から個体情報を得る個体情報読取装置を備え、
上記リモート出力装置が、上記個体情報読取装置からの上記個体情報を上記個人認証用画像情報として上記リモート保管サーバに保管させることを特徴とする請求項１に記載のプリントネットワークシステムの認証システム。
【請求項３】
上記リモート保管サーバが、
予め登録ユーザの識別情報に対応付けたユーザ個人情報を各登録ユーザ毎に管理するユーザ情報管理手段と、
登録要求時に、上記リモート出力装置からの上記識別情報によるユーザ認証が成功した後に、上記リモート出力装置からの上記画像情報を受信し、上記識別情報に対応させて上記画像情報を上記ユーザ情報管理手段に保管させる画像情報登録手段と
を有することを特徴とする請求項１又は２に記載のプリントネットワークシステムの認証システム。
【請求項４】
上記リモート出力装置が、登録要求時に、上記画像入力装置からの画像情報を、ユーザが所持する記憶媒体に与えて記憶させる記憶媒体通信手段を有することを特徴とする請求項１〜３のいずれかに記載のプリントネットワークシステムの認証システム。
【請求項５】
上記リモート保管サーバが、上記リモート出力装置からの指示により、上記識別情報を暗号化させる暗号化鍵を発行する暗号化鍵発行手段を備え、
上記リモート出力装置が、上記リモート保管サーバからの上記暗号化鍵を利用して暗号化させた上記識別情報を上記画像情報に対応させて上記記憶媒体に記憶させることを特徴とする請求項４に記載のプリントネットワークシステムの認証システム。
【請求項６】
上記リモート出力装置は、認証要求時に、上記記憶媒体通信手段が上記記憶媒体に記憶されている画像情報及び暗号化された上記識別情報を呼出し、その画像情報及び暗号化された上記識別情報をリモート保管サーバに出力することを特徴とする請求項４又は５に記載のプリントネットワークシステムの認証システム。
【請求項７】
上記リモート保管サーバが、
認証要求してきた上記リモート出力装置について、少なくとも設置位置情報及び認証要求日時情報のアクセス態様を検出すると共に、上記ユーザ情報管理手段に保管させるアクセス態様検出手段と、
上記認証要求履歴を参照して、今回の認証要求に係るリモート出力装置のアクセス態様が物理的に不可能な要求であるか否かを判定する不当認証判定手段と、
上記不当認証判定手段により今回の認証要求が不当であると判定した場合に、今回の認証要求に係るユーザ認証を拒否させる認証拒否手段と
を備えることを特徴とする請求項１〜６のいずれかに記載のプリントネットワークシステムの認証システム。
【請求項８】
不特定多数のユーザが利用可能な複数のリモート出力装置のいずれかから保管指示されたファイル情報を保管すると共に、上記リモート出力装置からの呼出し指示により保管しているファイル情報を指示された上記リモート出力装置に与えるリモート保管サーバにおいて、
予め登録ユーザの識別情報に対応付けたユーザ個人情報を各登録ユーザ毎に管理するユーザ情報管理手段と、
外部から受信した登録ユーザの識別情報によるユーザ認証と共に、受信した画像情報を個人認証用画像情報として上記ユーザ情報管理手段に登録させる画像情報登録手段と、
認証要求時に、外部から画像情報を受信し、その画像情報と上記個人認証用画像情報との照合によりユーザ認証する画像認証手段と
を備えることを特徴とするリモート保管サーバ。
【請求項９】
外部からの指示により、上記識別情報を暗号化させる暗号化鍵を発行する暗号化鍵発行手段を備えることを特徴とする請求項８に記載のリモート保管サーバ。
【請求項１０】
認証要求してきたリモート出力装置について、少なくとも設置位置情報及び認証要求日時情報のアクセス態様を検出すると共に、上記ユーザ情報管理手段に保管させるアクセス態様検出手段と、
上記認証要求履歴を参照して、今回の認証要求に係るリモート出力装置のアクセス態様が物理的に不可能な要求であるか否かを判定する不当認証判定手段と、
上記不当認証判定手段により今回の認証要求が不当であると判定した場合に、今回の認証要求に係るユーザ認証を拒否させる認証拒否手段と
を備えることを特徴とする請求項９に記載のリモート保管サーバ。
【請求項１１】
不特定多数のユーザが利用可能であり、リモート保管サーバに対して、ファイル情報を保管指示可能すると共に保管されているファイル情報の呼出し指示可能とし、上記リモート保管サーバからのファイル情報を出力するリモート出力装置において、
ユーザ本人の証明可能な書類から画像情報を得る画像情報読取手段と、
登録要求時に、上記画像情報読取装置からの画像情報を出力し、その画像情報を個人認証用画像情報として、ネットワークを介してリモート保管サーバに保管させると共に、認証要求時に、外部から取得した画像情報を出力する通信手段と
を備えることを特徴とするリモート出力装置。
【請求項１２】
上記画像情報読取手段からの画像情報を、ユーザが所持する記憶媒体に与えて記憶させる記憶媒体通信手段を有することを特徴とする請求項１２に記載のリモート出力装置。
【請求項１３】
上記リモート保管サーバから受信した暗号化鍵を利用して上記識別情報を暗号化させる暗号化手段と、
上記暗号化手段により暗号化された上記識別情報を上記画像情報に対応させて上記記憶媒体に記憶指示する記憶媒体記憶指示手段と
を有することを特徴とする請求項１２に記載のリモート出力装置。
【発明の詳細な説明】
【０００１】
【発明の属する技術分野】
本発明は、プリントネットワークシステムの認証システム、リモート保管サーバ及びリモート出力装置に関し、例えば、ユーザが、リモート出力装置により、リモート保管サーバに対して保管・取得指示したファイル情報を保管・取得し、取得したファイル情報を印刷出力するプリントネットワークシステムにおける認証システム、リモート保管サーバ及びリモート出力装置に適用できる。
【０００２】
【従来の技術】
例えば、登録ユーザ又はその関係者が、ネットワーク上のリモート保管サーバにファイル情報を格納するように指示し、コンビニエンスストアや駅などに設置されているＭＭＫ等を利用して外出先からでも、リモート保管サーバのファイル情報を呼出し、印刷出力するＷｅｂサービスがある。
【０００３】
このようなＷｅｂサービスの提供を行なう際、ファイル情報の保管指示時や保管したファイル情報の取得・印刷時に、登録ユーザであることを認証する個人認証処理が必要となり、従来は、ユーザの操作により入力されたユーザＩＤ及びパスワードの照合に基づいて行われている。
【０００４】
【発明が解決しようとする課題】
しかしながら、上述したＭＭＫ等の公共性の高い通信端末を使用してＷｅｂサービスを受けるような場合には、第三者により、ユーザＩＤ及びパスワードの個人識別情報が盗み見されるおそれがあり、悪意ある者に利用されるおそれがある。
【０００５】
また、登録ユーザ自身も複数のＷｅｂサービスの契約をしている場合には、全てのサービスに対応するユーザＩＤ及びパスワードを記憶しておく必要があり、認証処理に関し登録ユーザの負担が大きい。
【０００６】
そのため、登録ユーザの識別情報としての確度が高く簡便な認証方式であると共に、第三者による悪用を防止し得るためのプリントネットワークシステムの認証システム、リモート保管サーバ及びリモート出力装置が求められている。
【０００７】
【課題を解決するための手段】
かかる課題を解決するために、第１の本発明のプリントネットワークシステムの認証システムは、不特定多数のユーザが利用可能な複数のリモート出力装置と、リモート出力装置から保管指示されたファイル情報を保管すると共に、リモート出力装置からの呼出し指示により保管しているファイル情報を指示されたリモート出力装置に与えるリモート保管サーバとを有するプリントネットワークシステムの認証システムに関し、（１）ユーザ本人の証明可能な書類から画像情報を得る画像情報読取装置と、（２）各リモート出力装置が、登録要求時に、画像情報読取装置からの画像情報を出力し、その画像情報を個人認証用画像情報として保管させると共に、認証要求時に、外部から取得した画像情報を出力する画像認証要求手段を有し、（３）リモート保管サーバが、登録要求時に、リモート出力装置からの画像情報を個人認証用画像情報としてユーザ毎に保管すると共に、認証要求時に、リモート出力装置から画像情報を受信し、その画像情報と個人認証用画像情報との照合によりユーザ認証する画像認証手段を有することを特徴とする。
【０００８】
第２の本発明のリモート保管サーバは、不特定多数のユーザが利用可能な複数のリモート出力装置のいずれかから保管指示されたファイル情報を保管すると共に、リモート出力装置からの呼出し指示により保管しているファイル情報を指示されたリモート出力装置に与えるリモート保管サーバに関し、（１）予め登録ユーザの識別情報に対応付けたユーザ個人情報を各登録ユーザ毎に管理するユーザ情報管理手段と、（２）外部から受信した登録ユーザの識別情報によるユーザ認証と共に、受信した画像情報を個人認証用画像情報としてユーザ情報管理手段に登録させる画像情報登録手段と、（３）認証要求時に、外部から画像情報を受信し、その画像情報と個人認証用画像情報との照合によりユーザ認証する画像認証手段とを備えることを特徴とする。
【０００９】
第３の本発明のリモート出力装置は、不特定多数のユーザが利用可能であり、リモート保管サーバに対して、ファイル情報を保管指示可能すると共に保管されているファイル情報の呼出し指示可能とし、リモート保管サーバからのファイル情報を出力するリモート出力装置に関し、（１）ユーザ本人の証明可能な書類から画像情報を得る画像情報読取手段と、（２）登録要求時に、画像情報読取装置からの画像情報を出力し、その画像情報を個人認証用画像情報として、ネットワークを介してリモート保管サーバに保管させると共に、認証要求時に、外部から取得した画像情報を出力する通信手段とを備えることを特徴とする。
【００１０】
【発明の実施の形態】
（Ａ）実施形態
以下、本発明のプリントネットワークシステムの認証システム、リモート保管サーバ及びリモート出力装置の実施形態について図面を参照して説明する。
【００１１】
本実施形態は、ユーザ端末等から指示されたファイル情報をリモート保管サーバに格納させ、登録ユーザが、外出先からでもコンビニエンスストアや駅などに設置されているマルチメディアキオスク端末（ＭＭＫ）等の通信端末を利用して、リモート保管サーバにアクセスしてファイル情報を取得し印刷出力するＷｅｂサービスシステムにおける認証装置及び認証システムに適用した場合を説明する。
【００１２】
（Ａ−１）実施形態の構成
（Ａ−１−１）全体構成
図２は、本実施形態のネットワークシステムの全体構成を示すものである。図２に示すように、本実施形態のネットワークシステム１は、リモート出力装置２とリモート保管サーバ５とがネットワーク６を介して接続可能なものである。また、リモート出力装置２は、画像入力装置３とプリンタ４と接続可能である。
【００１３】
ここで、ネットワーク６は、公衆網、専用網等やこれらを結合した網等で構築されている網である。
【００１４】
リモート保管サーバ５は、リモート出力装置２から要求されたファイル情報を登録ユーザ毎に決められた記憶領域に記憶しておき、リモート出力装置２からの呼出し指示により、記憶しているファイル情報をリモート出力装置２に転送するサーバである。また、リモート保管サーバ５は、登録ユーザの個人認証機能を備え、例えば、ファイル情報の記憶及び転送時に、個人認証により正当性を得た場合にのみ、上述したサービスを提供するようにするものである。
【００１５】
また、リモート保管サーバ５は、ユーザの意思に応じて、簡易認証処理機能を行なうものである。この簡易認証処理機能とは、登録ユーザが所有する身分証（例えば、免許証や保険証等）や、登録ユーザ自身の身体的な認証情報（例えば、指紋、アイリス、手相、手のひらの欠陥部分分布等）等の画像データを保管し（以下、個人認証用画像データという）、リモート出力装置２から受信した画像データと保管している個人認証用画像データとに基づいて簡易に個人認証をすることをいう。
【００１６】
なお、リモート保管サーバ５は、上述した機能のほかに、例えば、ユーザ管理、登録ユーザの利用による課金管理、各登録ユーザ毎のアクセス履歴等も統括的に管理するものである。
【００１７】
リモート出力装置２は、ユーザにより操作される通信端末であり、例えばコンビニエンスストアや駅などに設置されているＭＭＫ端末や、ユーザが使用するパソコン等を適用できる。
【００１８】
リモート出力装置２は、ユーザの操作により、リモート保管サーバ５に対するファイル情報の保管指示、リモート保管サーバ５に対する保管ファイル情報の取得・出力（画面出力や印刷出力等）指示、入力されたユーザＩＤ・パスワード及び又は画像入力装置５から取得した認証情報の画像データをリモート保管サーバ５に送信する送信機能、プリンタ４に対するプリント制御、画像入力装置３に対する画像データ入出力制御、個人認証用画像データを記憶媒体（例えばＩＣカードや携帯端末）に保管指示、リモート保管サーバ５からの暗号化鍵を利用したユーザＩＤの暗号化処理等を行なうものである。
【００１９】
リモート出力装置２は、ユーザが簡易認証処理を希望する場合に、画像入力装置３からユーザによりスキャンされた画像データを取得し、その取得した画像データを、ネットワーク６を介してリモート保管サーバ５に送信するものである。また、リモート出力装置２は、記憶媒体と接続可能な接続部を有しており、ユーザの意思により、取得した画像データを記憶媒体に与えて記憶させるものである。
【００２０】
リモート出力装置２は、リモート保管サーバ５による認証処理又は簡易認証処理により、操作するユーザの認証が得られた場合、当該ユーザにサービス提供の操作を許容させるものである。
【００２１】
画像入力装置３は、ユーザの操作により、ユーザの免許証、保険証、学生証その他身分証、ユーザのサイン、企業の社章（マーク）を記した書面、各事業部門又は部課で共通に扱うマークを記した書面などのユーザを証明可能な書類をスキャンするイメージスキャナや、及び又は、ユーザ本人の指紋情報、アイリス情報、手相情報、手のひらの血管部分分布情報等の本人認証情報をスキャンする画像入力手段が該当する。画像入力装置３は、図示しない画像読み込み手段によりスキャンされた認証情報（身分証や本人認証情報）の画像データをリモート出力装置２に与えるものである。
【００２２】
プリンタ４は、取得したファイル情報に基づいて印刷紙に出力印刷する既存するプリンタであり、ユーザの個人認証が成功してリモート保管サーバ５から取得したファイル情報に基づいて出力印刷するものである。
【００２３】
プリンタ４及び画像入力装置３は、本実施形態では、リモート出力装置２と別個の構成として示すが、リモート出力装置２が印刷出力機能及び画像入力機能を備えるようにしてもよい。
【００２４】
（Ａ−１−２）リモート保管サーバ５の内部構成
次に、リモート保管サーバ５の内部構成について図３を参照して詳細に説明する。
【００２５】
図３に示すように、リモート保管サーバ５の内部構成は、制御部５０１、記憶部５０２、個人認証用画像データ記憶部５０３、画像認証部５０４、暗号化鍵発行部５０５、不当認証判定部５０６、ユーザ管理部５０７、ユーザ管理データベース５０８、通信部５０９を備える。
【００２６】
リモート保管サーバ５は、制御部５０１により実行可能なソフトウェアで構成されており、リモート保管サーバ５が実行する機能は、制御部５０１により制御される。
【００２７】
制御部５０１は、リモート保管サーバ５の機能を制御するものであり、ＣＰＵ等が該当する。
【００２８】
記憶部５０２は、制御部５０１が機能を動作させるのに必要な記憶手段であり、ＲＯＭ、ＲＡＭ等が該当する。
【００２９】
個人認証用画像データ記憶部５０３は、リモート出力装置２から受信した画像データを個人認証用画像データとしてユーザ毎に記憶するものである。個人認証用画像データ記憶部５０３は、ユーザ毎に記憶した個人認証用画像データの記憶領域のアドレスを、ユーザ管理データベース５０８にユーザＩＤと対応付けて保管させるものである。
【００３０】
また、個人認証用画像データ記憶部５０３は、リモート出力装置２からの指示により、登録した個人認証用画像データを変更することができる。また、個人認証用画像データを複数組み合せて記憶するようにしてもよい。
【００３１】
個人認証用画像データは、身分証や本人認証情報を画像変換した全部の画像データであってもよいし、又は、その一部の画像情報であってもよい。
【００３２】
例えば、免許証をスキャンする場合、例えば免許証の画像を４分割し、その分割した１／４部分の画像情報であってもよいし、又は、ユーザの指紋をスキャンする場合、例えば指紋の特徴点のみデータ化した取り出した画像情報であってもよい。
【００３３】
また例えば、スキャンした画像データに所定の変換係数を掛けて変換させた画像情報であってもよい。
【００３４】
画像認証部５０４は、個人認証用画像データの登録後、リモート出力装置２から受信した画像データを、個人認証用画像データ記憶部５０３に登録されている個人認証用画像データと照合して認証処理を行なうものである。
【００３５】
画像認証部５０４は、リモート出力装置２から画像データと暗号化されたユーザＩＤとを受信した場合、その画像データに基づいてユーザ管理データベース５０８に登録されているユーザＩＤ及び秘密鍵を取得する。そして、画像認証部５０４は、取得した秘密鍵を利用して受信した暗号化されたユーザＩＤを復号化し、その復号化されたユーザＩＤと登録されているユーザＩＤとを照合することによりユーザの個人認証を行なうものである。
【００３６】
また、画像認証部５０４は、リモート出力装置２から画像データを取得した場合には、その画像データと個人認証用画像データ記憶部５０４の個人認証用画像データとの照合によりユーザの個人認証を行なうものである。
【００３７】
暗号化鍵発行部５０５は、リモート出力装置２から簡易認証登録の選択指示があった場合に、ユーザＩＤを暗号化・復号化させるためのユーザＩＤ毎に暗号化鍵を発行するものである。暗号化鍵発行部５０５は、例えば、公開鍵と秘密鍵とを発行し、秘密鍵をユーザＩＤに対応させてユーザ管理データベース５０８に保管させると共に、公開鍵をリモート出力装置２に送信させるものである。
【００３８】
不当認証判定部５０６は、認証要求してきたリモート出力装置２の設置位置情報と認証要求に係る日時情報とを管理しており、同一ユーザについて、前回と今回との認証要求に係るリモート出力装置２の設置位置情報と、前回と今回との認証要求に係る日時情報とに基づいて、当該ユーザによる認証要求が物理的に可能であるか否かを判定するものである。
【００３９】
例えば、同一ユーザについて、前回の認証要求に係るリモート出力装置２の設置位置が東京都内にあるものからなされた場合に、その３０分後に大阪市内のリモート出力装置２から要求された場合には、今回の認証要求は物理的に不可能な要求であると判断し、認証処理を拒否させるものである。
【００４０】
不当認証判定部５０６は、例えば、ある時間以内（例えば、３０分以内、１時間以内、１日以内等）にユーザが移動可能な距離に応じて割り出したリモート出欲装置２の設置位置情報のリストを有しており、今回と前回との管理情報から、そのリストを参照して、不当認証要求であるか否かを判定する。
【００４１】
不当認証判定部５０６が不当認証要求を判定するための管理情報は、リモート出力装置２の設置位置に限られることはなく、例えば、リモート出力装置２を設置している店舗位置（店舗が複数のリモート出力装置２を有する場合でもその店舗位置を示す）、利用エリア、前回と今回のリモート出力装置２の設置位置から算出した距離、認証要求先の国名等を管理するようにしてもよい。なお、本実施形態では、リモート出力装置２の設置位置情報と認証要求に係る日時情報とを管理情報とする。
【００４２】
ユーザ管理部５０７は、ユーザ管理データベース５０８に保管されている各登録ユーザの個人情報を管理するものである。
【００４３】
ユーザ管理データベース５０８は、登録ユーザの個人認証情報を保存するためのデータベースである。ユーザ管理データベース５０８で保存されている情報は、制御部５０１が個人認証情報管理テーブル５１０に基づいて管理されている。
【００４４】
個人情報管理テーブル５１０は、例えば、図４に示すような構成により管理されている。
【００４５】
図４に示すように、個人認証情報管理テーブル５１０は、ユーザＩＤ、パスワード、個人認証用画像データ、ユーザの氏名・住所、暗号化鍵、前回の認証要求のリモート出力装置の設置位置（図４では前回の認証要求の位置）、前回の認証要求日時情報、年齢、契約内容等である。この他に、課金管理や、認証要求履歴等も管理可能である。
【００４６】
通信部５０９は、通信ボードや通信ソフトウェア等が該当し、ネットワーク７の通信を可能にする通信機能及び電子メール通信機能を有するものである。
【００４７】
（Ａ−１−３）リモート出力装置２の内部構成
次に、リモート出力装置２の内部構成については、図５を参照して説明する。リモート出力装置２は、制御部２０１、記憶部２０２、ユーザにより操作される操作部２０３、表示部２０４、画像認証部２０５、スキャンデータ保管部２０６、通信部２０７とを有する。
【００４８】
制御部２０１は、リモート出力装置２の機能を制御するものであり、ＣＰＵ等が該当する。
【００４９】
記憶部２０２は、制御部２０１が機能を動作させるのに必要な記憶手段であり、ＲＯＭ、ＲＡＭ等が該当する。
【００５０】
操作部２０３は、ユーザにより操作されるインターフェースであり、リモート保管サーバ５に対して認証要求や、ユーザＩＤやパスワードの入力処理、簡易認証登録の選択、画像入力装置３から取り込んだ個人認証用画像データをＩＣカード等の記憶媒体に記憶させる記憶指示、リモート保管サーバ２に保管させるファイル情報の保管指示等を行なうものである。
【００５１】
表示部２０４は、リモート保管サーバ５からの認証手続に係る指示や選択指示などの進行手続を表示させたり、ユーザの操作によりリモート保管サーバ５から取出した情報を表示させたりする表示部である。
【００５２】
なお、操作部２０３と表示部２０４は、タッチパネル型の操作表示部としてもよい。
【００５３】
スキャンデータ保管部２０６は、ユーザの操作により画像入力装置３から取得した個人認証用画像データを取り込み、一時的に記憶し、操作部２０３からのユーザ指示により、ＩＣカードや携帯端末等の記憶媒体に保管させるものである。
【００５４】
スキャンデータ保管部２０６は、ＩＣカードの挿入口や携帯端末との接続を可能とするコネクタ、無線通信部（例えば赤外線通信部、ブルートゥース（登録商標））等を有しており、挿入されているＩＣカードや接続可能な携帯電話に個人認証用画像データを保管させるものである。
【００５５】
通信部２０７は、通信ボードや通信ソフトウェア等が該当し、ネットワーク７の通信を可能にする通信機能及び電子メール通信機能を有するものである。
【００５６】
（Ａ−２）実施形態の動作
次に、本実施形態の認証装置及び認証システムの動作について図面を参照して詳説する。
【００５７】
以下では、まず、簡易認証登録動作として個人認証用画像データを取り込み登録する動作について図１を参照して説明する。
【００５８】
（Ａ−２−１）簡易認証登録動作
ユーザの操作により、リモート出力装置２がネットワーク６を介してリモート保管サーバ５とのアクセスを開始する（Ｓ１０１）。
【００５９】
リモート保管サーバ５からユーザＩＤ及びパスワードの入力要求がなされ、その要求に応じて、ユーザの操作により、ユーザＩＤ及びパスワードが、リモート出力装置２に入力され、リモート出力装置２からリモート保管サーバ２に与えられる（Ｓ１０２）。
【００６０】
リモート出力装置２からユーザＩＤ及びパスワードが入力されると、リモート保管サーバ５は、ユーザＩＤに基づいて個人認証情報をユーザ管理データベース５０８から取り出し、パスワードの照合を行なう（Ｓ１０３）。
【００６１】
パスワードによる認証がＮＧの場合、リモート保管サーバ５は、登録ユーザが正当でないと判断し認証処理を終了し、簡易認証登録の処理を行わない（Ｓ１０３及びＳ１１３）。なお、このとき、リモート保管サーバ５はリモート出力装置２に対して、所定回数のユーザＩＤ及びパスワードの再入力を要求してもよい。
【００６２】
パスワードによる認証がＯＫの場合、リモート保管サーバ５は、登録ユーザの正当性があると判断し、簡易認証登録の行なうか否かの問い合わせをリモート出力装置２に送信し、その旨が表示部２０３に表示される（Ｓ１０４）。
【００６３】
簡易認証登録を行なうか否かの問い合わせが表示部２０３に表示され、ユーザの操作により簡易認証登録を行なうか否かが選択される（Ｓ１０５）。
【００６４】
ユーザが簡易認証登録を希望しない場合には、既に個人認証が終了しているので認証処理は終了する（Ｓ１０５及びＳ１１３）。
【００６５】
また、ユーザが簡易認証登録を希望する場合には、ユーザにより簡易認証の登録を選択する選択キーが押下され、その旨がリモート保管サーバ５に与えられる。
【００６６】
このとき、簡易認証登録する個人認証用の認証情報の種類（身分証、指紋等の種類）は、リモート保管サーバ５側の管理者が予め決定したものであっても良いし、又は管理者側が示した種類の中からユーザが選択できるようにしてもよい。
【００６７】
なお、ここでは、個人認証用の認証情報を身分証（例えば免許証）として説明する。
【００６８】
ユーザの操作により、画像入力装置３は、自己が所有する身分証を読み取り、その身分証の画像データをリモート出力装置２に与える（Ｓ１０６）。
【００６９】
リモート出力装置２に身分証の画像データが与えられると、リモート出力装置２の表示部２０４に、身分証の画像データをユーザが所持するＩＣカードに記憶させるか否かの問い合わせが表示される（Ｓ１０７）。
【００７０】
本実施形態では、身分証の画像データを記憶させる記憶媒体をＩＣカードとするが、記憶手段を有する携帯端末その他ユーザが所持する記憶媒体に広く適用できる。
【００７１】
ユーザがＩＣカードへの記憶を希望する場合、ユーザにより、ＩＣカードへの記憶を行なう選択キーが押下され、その旨がリモート保管サーバ５に与えられる（Ｓ１０７）。
【００７２】
このとき、リモート保管サーバ５では、リモート出力装置２からの通知を受け、ユーザＩＤを暗号化・復号化するための暗号化鍵がユーザＩＤ毎に発行される（Ｓ１１４）。発行した暗号化鍵は、公開鍵がリモート出力装置２に送信され、秘密鍵がユーザ管理データベース５０８のユーザＩＤに対応付けて保管される。
【００７３】
リモート出力装置２は、ユーザにより、リモート保管サーバ５が発行した公開鍵をダウンロードし（Ｓ１０８）、その公開鍵を使用して、ユーザＩＤを暗号化する（Ｓ１０９）。
【００７４】
リモート出力装置２においてユーザＩＤが暗号化されると、画像データと公開鍵は、その暗号化されたユーザＩＤに対応付けられて、ＩＣカードの所定の記憶領域に記憶される（Ｓ１１０）。
【００７５】
なお、ＩＣカードに記憶させる画像データは、リモート保管サーバ５に登録する個人認証用画像データの同じものであり、認証情報の全部又は一部の情報であってもよく、認証情報として例えば指紋や手相等を用いる場合、画像入力装置３が指紋や手相等の特徴点のみを取り出すようにし、その特徴点を記憶媒体（ＩＣカードや携帯端末）に記憶させるようにしてもよい。
【００７６】
個人認証用画像データがＩＣカードに記憶されると、又は、Ｓ１０７においてＩＣカードへの記憶を希望しない場合、画像入力装置３により取得された画像データがリモート保管サーバ５に送信される（Ｓ１１１）。
【００７７】
リモート出力装置２からリモート保管サーバ５に画像データが与えられると、リモート保管サーバ５において、受信した個人認証用画像データが、個人認証用画像データとして個人認証用画像データ記憶部５０３に記憶される（Ｓ１１２）。また、その個人認証用画像データを記憶した記憶領域アドレスがユーザ管理データベース５０８にユーザＩＤに対応付けられて保管される。
【００７８】
なお、個人認証用画像データは、ユーザＩＤと対応付けられて保管されるのであればどのような態様であっても構わない。
【００７９】
以上のようにして、簡易認証処理に用いられる個人認証用画像データの登録動作が終了する（Ｓ１１３）。
【００８０】
（Ａ−２−２）個人認証用画像データに基づく簡易認証処理
次に、登録された個人認証用画像データに基づいて簡易認証処理の動作について図６を参照して説明する。
【００８１】
ユーザの操作により、リモート出力装置２がネットワーク６を介してリモート保管サーバ５とのアクセスを開始する（Ｓ２０１）。
【００８２】
リモート出力装置２の表示部２０４に、リモート保管サーバ５からの認証要求受付画面が表示され、その受付画面には簡易認証処理を行なうか否かの選択キーが含まれている。本実施形態ではユーザが簡易認証を希望する場合であるので、ユーザにより、その簡易認証処理の選択キーが選択される（Ｓ２０２）。
【００８３】
ユーザにより簡易認証処理が選択されると、簡易認証処理に係る画像データを取り込む方法、すなわちＩＣカードに記憶した画像データを利用するか又はＩＣカードを利用せず画像入力装置３により読み込んだ画像データを使用するかの問い合わせが表示される（Ｓ２０３）。ここでは、個人認証用画像データを記憶したＩＣカードを利用するか否かの問い合わせが表示部２０４に表示される（Ｓ２０３）。
【００８４】
以下では、ＩＣカードを利用する場合とＩＣカードを利用しない場合とに場合を分けて説明する。
【００８５】
ユーザがＩＣカードを利用することを希望する場合、ＩＣカードを利用する旨の選択キーを押下し、ＩＣカード挿入口にＩＣカードを挿入して（Ｓ２０４）、ＩＣカードに記憶されている暗号化されているユーザＩＤとそれに対応する画像データが取り出される（Ｓ２０５）。
【００８６】
ＩＣカードから取り出された暗号化されたユーザＩＤと画像データとは送信信号として、リモート出力装置２からリモート保管サーバ５に与えられる（Ｓ２０６）。
【００８７】
リモート保管サーバ５に送信信号が与えられると、リモート保管サーバ５は、その送信信号に含まれている画像データを取り出し、その画像データに対応するユーザＩＤ及び秘密鍵が取り出され、秘密鍵を用いて暗号化されたユーザＩＤの復号化が行われる（Ｓ２１１）。
【００８８】
リモート保管サーバ５において、ユーザＩＤが復号化されると、その復号化されたユーザＩＤと登録されているユーザＩＤとの照合がされる（Ｓ２１２）。
【００８９】
この画像データ及び暗号化されたユーザＩＤの照合によりユーザ認証が行われ（Ｓ２１３）認証がＯＫである場合、登録ユーザであるとの正当性を得て、認証ＯＫの旨がリモート出力装置２に通知される（Ｓ２１４）。
【００９０】
また、認証がＮＧの場合、登録ユーザであるとの正当性を得るができず、認証ＮＧの旨がリモート出力装置２に通知される（Ｓ２１５）。
【００９１】
このようにして簡易認証処理が終了する（Ｓ２１６）。
【００９２】
次に、ユーザがＩＣカードを利用することを希望しない場合について説明する。
【００９３】
ユーザがＩＣカードを利用することを希望しない場合、ＩＣカードを利用しない旨の選択キーを選択し（又はＩＣカードを利用する旨の選択キーを選択せず）、登録されている個人認証用画像データと同一の認証情報（本実施形態では身分証）の画像データを画像入力装置３によりスキャンさせる（Ｓ２０７）。
【００９４】
身分証がスキャンされると、スキャンされた身分証の画像データが一時的に記憶されると共に、パスワードも送信要求するか否かの問い合わせが表示される。（Ｓ２０８）。
【００９５】
ユーザがパスワードの入力を希望するとき、ユーザによりパスワードが入力され（Ｓ２０９）、画像データと共にパスワードとが送信信号としてリモート保管サーバ５に送信される（Ｓ２１０）。
【００９６】
リモート保管サーバ５は、受信した送信信号又は画像データに基づいて登録されているパスワードを取り出し、受信したパスワードと登録されているパスワードの照合を行ないユーザの個人認証を行なう（Ｓ２１２〜Ｓ２１３）。
【００９７】
また、パスワードの入力を希望しないとき、パスワードの入力されず、画像データを含んだ送信信号がリモート保管サーバ５に送信される（Ｓ２１０）。
【００９８】
リモート出力装置２から送信信号が与えられると、リモート保管サーバ５において、送信信号に含まれる画像データと、登録されている個人認証用画像データと照合され（Ｓ２１２）、ユーザの認証処理が行なわれる。
【００９９】
ここで、リモート保管サーバ５における画像データの照合について説明する。
【０１００】
リモート保管サーバ５において、個人認証用画像データの照合による簡易認証処理の後、Ｓ２１３〜Ｓ２１６の動作は上述した動作と同様であるのでここでの説明を省略する。
【０１０１】
（Ａ−２−３）不当認証判定の動作
次に、リモート出力装置２からの認証要求が物理的に不可能なものである場合には、その認証要求についての簡易認証処理を拒否する不当認証判定の動作について図７及び図８を参照して説明する。
【０１０２】
図７の動作フローは、リモート保管サーバ５の動作に関するものであり、同一のユーザからの認証要求について、前回と今回との認証要求日時情報と、前回と今回とのリモート出力装置の設置位置情報とに基づいて、当該ユーザによる認証要求が可能であるか否かを判定する場合について説明する。
【０１０３】
リモート保管サーバ５において、リモート出力装置２からアクセスにより開始し（Ｓ３０１）、リモート出力装置２から認証要求がなされる（Ｓ３０２）。
【０１０４】
リモート出力装置２から簡易認証処理の選択がされると、リモート出力装置２から個人認証用画像データが与えられる（Ｓ３０３）。
【０１０５】
リモート出力装置２から個人認証用画像データを受信すると、リモート保管サーバ５において、受信した個人認証用画像データと登録されている個人認証用画像データとの照合による簡易認証処理が行なわれる（Ｓ３０４）。
【０１０６】
なお、リモート出力装置２による簡易認証処理の選択動作、個人認証用画像データの送受信動作、簡易認証処理の動作については、図６で既に説明したので詳細な説明は省略する。
【０１０７】
個人認証用画像データに基づく簡易認証によるユーザ認証が行われ認証がＯＫの場合、当該ユーザについて、ユーザ管理データベース５０８から取得した前回の認証要求に係る日時情報と今回の認証要求に係る日時情報とに基づいて時間差が判定される（Ｓ３０５）。
【０１０８】
認証要求に係る日時情報は、例えば、リモート保管サーバ５が有する日時管理部（図示しない）や又はネットワークに接続可能な標準日時管理サーバ（図示しない）等を利用して取得した日時情報であり、前回の認証要求に係る日時情報は、ユーザＩＤに対応付けてユーザ管理データベース５０６に保管されている。
【０１０９】
また、前回の認証要求に係る日時情報がユーザ管理データベース５０６に保管されていない場合には、今回の認証要求が初回のものであるとみなし不当認証判定を行なわない。
【０１１０】
次に、当該ユーザについて、ユーザ管理データベース５０６から取得した前回の認証要求に係るリモート出力装置２の設置位置と、今回の認証要求に係るリモート出力装置２の設置位置とに基づいて設置位置の距離差を判定する（Ｓ３０６）。
【０１１１】
前回と今回の認証要求に係るリモート出力装置２の距離差は、例えば、２点間（前回と今回のリモート出力装置２の設置位置）を直線で結んだ距離であってもよいし、又は、地図上におけるリモート出力装置２の設置位置を予め登録しておき、その２点間を移動するのに要する地図的な１又は複数の移動経路に基づく距離であってもよい。この場合、複数の移動経路があるときには、それらの中から最短距離を選択する等の優先順位を設けてもよい。
【０１１２】
Ｓ３０５及びＳ３０６において求められた、前回と今回の認証要求時間差の情報とリモート出力装置２の距離差とに基づいて、今回の認証要求が時間差内において物理的に可能なものであるか否かの不当認証判定が行われる（Ｓ３０７）。
【０１１３】
この不当認証判定は、例えば、ユーザが移動可能な距離をある時間毎に割り出したリストを参照し、前回と今回の認証要求先の２点間の距離が、前回と今回の認証要求の時間差から求めた時間に対応するリストの距離以下である場合には、正当な認証要求であると判定し、リストの距離より大きい場合には、不当な認証要求であると判定する。
【０１１４】
また、この他の不当認定判定として、例えば、前回のリモート出力装置２の設置位置を円の中心とし、前回と今回の認証要求時間差から求めた時間で移動可能な距離を示す円を形成し、今回の認証要求に係るリモート出力装置２の設置位置が、その移動可能な円の内側の範囲に位置する場合、正当な認証要求であると判定し、その円の内側の範囲外に位置する場合、不当な認証要求であると判定する。
【０１１５】
Ｓ３０７において、正当な認証要求であると判定した場合には、認証が成功した旨がリモート出力装置２に通知され（Ｓ３０８）、不当な認証要求であると判定した場合には、認証エラーである旨若しくは警告がリモート出力装置２に通知される（Ｓ３０９）。
【０１１６】
このように、不当認証判定が行われ、不当な認証要求であると判定された場合には、そのユーザについての認証処理は拒否されて終了する（Ｓ３１０）。
【０１１７】
次に、図８を参照して不当認証判定の動作について説明する。
【０１１８】
図８の動作フローも、図７と同様にリモート保管サーバ５の動作に関するものであり、図８では、前回と今回の認証要求に係るリモート出力装置２の設置位置が異国間である場合について説明する。
【０１１９】
図８において、開始からユーザ認証までの動作は図７で説明したＳ３０１〜Ｓ３０４の動作に対応するものであるのでここでの説明は省略する。
【０１２０】
Ｓ３０４において、ユーザ認証が行われて認証ＯＫである場合、当該ユーザについて、ユーザ管理データベース５０８から取得した前回の認証要求に係る日時情報と今回の認証要求に係る日時情報とに基づいて日時の差分が判定される（Ｓ４０１）。
【０１２１】
また、リモート出力装置２から受信した送信信号に基づいて、リモート出力装置２が設置されている国名を判断する（Ｓ４０２）。
【０１２２】
また、前回の認証要求に使用されたリモート出力装置２が設置されている国名を、ユーザ管理データベース５０８に保管されている前回の認証要求の位置情報から取得し、Ｓ４０１で求めた日時の間に、前回と今回の使用されたリモート出力装置２の設置位置の国名が異なる場合であって、その認証要求が連続して行われている場合には今回の認証要求が不当なものであると判定する。
【０１２３】
この不当認証判定により不当であると判定された場合には、今回要求してきたリモート出力装置２に対して不当である旨の通知若しくは警告を通知し（Ｓ３０９）、正当であると判定された場合には、認証が成功した旨を通知する（Ｓ３０８）。
【０１２４】
このようにして、不当認証判定が行われ認証処理が終了する（Ｓ３１０）。
【０１２５】
（Ａ−３）実施形態の効果
以上、本実施形態によれば、個人認証用画像データを登録後、ユーザにより、登録した個人認証用画像データを送信するだけでよいの簡便かつ個人認証の確度の高い認証処理を行なうことができる。
【０１２６】
（Ｂ）他の実施形態
（Ｂ−１）上述した実施形態では、プリント保管サーバ５が有する認証処理に関するものとして説明したが、これに限られず、ネットワーク上を介してサービス提供可能なシステムネットワークの認証処理に広く適用できる。
【０１２７】
（Ｂ−２）図１での簡易認証登録では、登録ユーザのユーザＩＤによるユーザ認証後に行なうこととして説明したが、契約時に個人認証用画像データを登録してもよい。
【０１２８】
また、ユーザ又はその関係者が、複数のファイル情報をリモート保管サーバ５に保管する場合又は複数の異なるサービス内容の提供を受ける場合には、各ファイル情報毎又はサービス内容毎に異なる個人認証用画像データを登録するようにしてもよい。
【０１２９】
また、ユーザが使用するＭＭＫ端末（リモート出力装置２）を設置している店舗が決まっている場合には、その店舗毎に異なる個人認証用画像データを登録できるようにしてもよい。
【０１３０】
また、リモート保管サーバ５に保管する１個のファイル情報に対して、複数の個人認証用画像データを対応付けるようにしてもよい。例えば、企業のある部門又は部課の従業者が共通して、リモート保管サーバ５にファイル情報の保管・取得する場合に、保管対象のファイル情報又は割り当てられた記憶領域毎に、部門又は部課の全ての従業者の個人認証用画像データを対応付けし、そのファイル情報の保管・取得時に、上述した実施形態の認証処理を行なうようにしてもよい。
【０１３１】
上記の場合、リモート保管サーバ５は、各サービス毎及び又は各店舗毎の個人認証用画像データを管理する必要がある。
【０１３２】
（Ｂ−３）図６における簡易認証処理では、ＩＣカードの個人認証用画像データによる簡易認証処理を行なうこととして説明した。
【０１３３】
しかし、この他に例えば、ユーザが使用する通信端末（電子メール機能を有する携帯電話を含む）の電子メールアドレスを予め登録しておき、リモート保管サーバ５が、個人認証用画像データを受信した際又は個人認証用画像データによる認証後、対応するユーザの電子メールアドレスを送信先として、簡易認証要求があった旨の情報を添付した電子メールを送信し、その電子メールを受信したユーザからの確認を得た後に、最終的な認証を完結するようにしてもよい。
【０１３４】
これにより、ユーザがＩＣカードをなくしてしまい、悪意ある第三者による認証要求の防止をすることができる。
【０１３５】
（Ｂ−４）また、図６でＩＣカードを利用しない場合の簡易認証処理において、パスワード入力をする場合について説明した（Ｓ２０８）が、パスワードに限らず、ユーザＩＤや電子メールアドレス等その他の識別情報を入力するようにしてもよい。
【０１３６】
（Ｂ−５）図７及び図８の不当認証判定処理は、簡易認証処理を行なう場合について説明したが、ユーザの認証要求履歴を管理する従来の認証処理に対しても適用できる。
【０１３７】
（Ｂ−６）図７及び図８において不当認証判定処理がユーザ認証処理後に行なうとして説明したが、ユーザ認証処理の前に行なうこととしてもよい。この場合、個人認証用画像データに対応するユーザの認証要求履歴（前回の認証要求も含む）に基づく不当認証判定をした後、不当認証である場合には、ユーザの簡易認証処理を拒否する。
【０１３８】
（Ｂ−７）図７及び図８の不当認証判定処理において、本実施形態では、物理的に不可能な認証要求に対して認証処理を拒否することとして説明した。
【０１３９】
しかし、本願の認証システムを他のネットワークシステムの認証処理に適用した場合、そのネットワークシステムが提供するサービス内容に応じて認証要求を拒否できるようにしてもよい。
【０１４０】
例えば、提供するサービス内容が、地域限定に提供するサービスである場合には、その地域以外に設置されているリモート出力装置２からの認証要求を拒否したり、又は、１８歳未満のユーザへの提供を禁止するサービスである場合には、ユーザ管理データベース５０８に保管されているユーザの年齢を確認して、１８際未満である場合にはその認証要求を拒否したりしてもよい。
【０１４１】
また、後者の場合、ユーザの個人認証情報の登録時に、保護者の連絡先、例えば電子メールアドレスや住所電話番号などの連絡可能な情報を登録しておき、ユーザによる認証要求があった場合に、保護者に通知できるようにしてもよい。
【０１４２】
（Ｂ−８）リモート保管サーバ５は、登録した個人認証用画像データが使用できる有効期間を設け、その有効期間の経過後には、その登録した個人認証用画像データの使用を無効にする。
【０１４３】
リモート保管サーバ５は、有効期間の経過前に予め登録されている電子メールアドレスを送信先として、その旨を登録ユーザに通知し、その登録ユーザからの指示により、変更又は維持を決定することができる。
【０１４４】
【発明の効果】
以上、本発明のプリントネットワークシステムの認証システム、リモート保管サーバ及びリモート出力装置によれば、登録ユーザの個人認証情報として確度が高く簡便な認証方式であると共に、第三者による悪用を防止することができる。
【図面の簡単な説明】
【図１】実施形態に係る簡易認証登録を説明するフローチャートである。
【図２】実施形態に係るネットワークシステム１の全体構成図である。
【図３】実施形態に係るリモート保存サーバ５の内部構成図である。
【図４】実施形態に係るユーザ管理データベースの個人認証管理テーブルである。
【図５】実施形態に係るリモート出力装置の内部構成である。
【図６】実施形態に係る簡易認証処理を説明するフローチャートである。
【図７】実施形態に係る不当認証処理を説明するフローチャートである。
【図８】実施形態に係る不当認証処理を説明するフローチャートである。
【符号の説明】
１…ネットワークシステム、２…リモート出力装置、３…画像入力装置、
５…リモート保管サーバ、５０１制御部、５０２…記憶部、
５０３…個人認証用画像データ記憶部、５０４…画像認証部、
５０７…ユーザ管理部、５０８…ユーザ管理データベース、２０１…制御部、
２０６…スキャンデータ保管部。
【図１】
2005025243.tif 000003
【図２】
2005025243.tif 000004
【図３】
2005025243.tif 000005
【図４】
2005025243.tif 000006
【図５】
2005025243.tif 000007
【図６】
2005025243.tif 000008
【図７】
2005025243.tif 000009
【図８】
2005025243.tif 000010